(57)【特許請求の範囲】
【請求項１】
洗面ボウルの底部から下方に向けて突出する排水口部を洗面ボウルと一体に形成し、該排水口部の内周面の下端部を外側に凹ませて下方に開口する嵌込凹所を形成すると共に該嵌込凹所の上方部を覆部とし、該排水口部に接続される排水筒は、上下に開口する筒部と、該筒部の上端よりも下方の位置から外方に向けて一体に突出するフランジ部を有し、筒部の前記フランジ部を設けた部分よりも上方の部分を嵌込部とし、前記洗面ボウルの嵌込凹所に排水筒の嵌込部を嵌め込むと共に該嵌込部の外周面と嵌込凹所の内周面との間にＯリングを介在させ、嵌込部の上方を排水口部の覆部で覆い、前記排水筒のフランジ部を複数の取付ねじで洗面ボウルの下面に固着することを特徴とする洗面ボウルの排水構造。
【請求項２】
上記フランジ部を、筒部から外方に突出した内周鍔部と、内周鍔部の外周縁から立ち上げた立上部と、立上部の上端から外方に突出した外周鍔部とで構成し、該フランジ部の立上部と筒部の嵌込部の間に上方に開口する円環状の嵌込溝を形成し、該円環状の嵌込溝に排水口部の下端部を嵌め込み、フランジ部の外周鍔部を複数の取付ねじで洗面ボウルの下面に固着することを特徴とする請求項１に記載の洗面ボウルの排水構造。
【請求項３】
上記洗面ボウルの内面に直接当接させて排水口部を止水するための止水栓を備えることを特徴とする請求項１又は請求項２に記載の洗面ボウルの排水構造。
【発明の詳細な説明】
【技術分野】
【０００１】
本発明は洗面ボウルの排水構造に関する。
【背景技術】
【０００２】
従来の洗面ボウルの排水構造は、図５に示すように、洗面ボウル１の排水口部２に排水筒１５を上方から落としこみ、排水筒１５の洗面ボウル１の下方に突出した部分にナット４９を螺合し、該ナット４９を締め付けることでナット４９と排水筒１５の上端から外方に突出するフランジ部１８とで排水口部２の周縁部を挟持し、これにより排水筒１５を洗面ボウル１の排水口部２に取り付けていた。しかし、この排水構造は、排水筒１５のフランジ部１９と洗面ボウル１との境界が洗面ボウル１の内面側に露出してゴミがたまりやすく、またこの部分は外観上目立つ箇所でもあるので、頻繁に掃除を行う必要がある。
【０００３】
また、例えば特許文献１のように洗面ボウルの下方から取付けられる排水筒も知られている。この排水筒はその上端面を洗面ボウルの底部から下方に向けて突出した排水口部の下端面にパッキンを介して当接し、該排水筒の上端から外方に向けて一体に突出したフランジ部を洗面ボウルの下面に複数の取付ねじで固着するものであり、排水筒が洗面ボウルの内面側に露出せず上記の問題は改善されている。しかし、この排水構造にあっては、取付ねじにより排水筒を固着するため、また、洗面ボウルの下面には不陸が生じるため、排水筒を洗面ボウルの下面にぴったりと密着した状態で固定することが難しい。このため前記パッキンによる止水性能が低下して水漏れが起こりやすいという問題がある。
【０００４】
また、特許文献１の他例では、排水筒のフランジ部を、内周鍔部と、内周鍔部の外周縁から立ち上げた立上部と、立上部の上端部から外方に突出した外周鍔部とで構成し、内周鍔部と立上部よりなる角部と、排水口部の下端外周角部とでパッキンを挟み込んでいるが、このものはパッキンを押さえる部分、即ち排水筒の上端から外方に突出したフランジ部の変形に対する強度が弱く、取付ねじを締め付けた時にフランジ部が変形してパッキンによる止水性能が低下する恐れがある。
【特許文献１】特開２００２−２６６４０３号公報
【発明の開示】
【発明が解決しようとする課題】
【０００５】
本発明は上記従来の問題点に鑑みてなされたものであって、洗面ボウルと排水筒の境界部分が洗面ボウルの内面側に露出せず、尚且つ洗面ボウルと排水筒との接続部分における止水を確実にできる洗面ボウルの排水構造を提供することを課題とする。
【課題を解決するための手段】
【０００６】
上記課題を解決するために本発明に係る洗面ボウルの排水構造は、洗面ボウル１の底部から下方に向けて突出する排水口部２を洗面ボウル１と一体に形成し、該排水口部２の内周面の下端部を外側に凹ませて下方に開口する嵌込凹所５を形成すると共に該嵌込凹所５の上方部を覆部７とし、該排水口部２に接続される排水筒１５は、上下に開口する筒部１７と、該筒部１７の上端よりも下方の位置から外方に向けて一体に突出するフランジ部１８を有し、筒部１７の前記フランジ部１８を設けた部分よりも上方の部分を嵌込部１９とし、前記洗面ボウル１の嵌込凹所５に排水筒１５の嵌込部１９を嵌め込むと共に該嵌込部１９の外周面と嵌込凹所５の内周面との間にＯリング３１を介在させ、嵌込部１９の上方を排水口部２の覆部７で覆い、前記排水筒１５のフランジ部１８を複数の取付ねじ１１で洗面ボウル１の下面に固着することを特徴とする。上記のように排水筒１５の嵌込部１９の上方を排水口部２に形成した覆部７で覆うことで、洗面ボウル１と排水筒１５の境界部分が洗面ボウル１の内面側に露出しないようにできる。また、Ｏリング３１は嵌込部１９の外周面と嵌込凹所５の内周面とで取付ねじ１１の締め付け力が働く上下方向とは直交する方向に圧縮されるので、取付ねじ１１の締め付け力が不足した場合等にもＯリング３１により確実に止水を行うことができる。また、嵌込部１９を排水筒１５の筒部１７のフランジ部１８からわずかに突出した上端部で構成できて、嵌込部１９の変形に対する強度を高めることができ、これにより嵌込部１９により前記Ｏリング３１を確実に圧縮できる。
【０００７】
また、請求項２は請求項１において、上記フランジ部１８を、筒部１７から外方に突出した内周鍔部２２と、内周鍔部２２の外周縁から立ち上げた立上部２３と、立上部２３の上端から外方に突出した外周鍔部２４とで構成し、該フランジ部１８の立上部２３と筒部１７の嵌込部１９の間に上方に開口する円環状の嵌込溝２５を形成し、該円環状の嵌込溝２５に排水口部２の下端部を嵌め込み、フランジ部１８の外周鍔部２４を複数の取付ねじ１１で洗面ボウル１の下面に固着することを特徴とする。排水口部２の下端部を円環状の嵌込溝２５に嵌め込み、排水口部２の下端部を内側の嵌込部１９と外側の立上部２３とにより内外両側から支持でき、この状態で嵌込部１９によりＯリング３１を圧縮できる。また排水口部２と排水筒１５の接続部分から水漏れが生じたとしても、この水を嵌込溝２５に溜めて自然乾燥で蒸発できる。
【０００８】
また、請求項３は請求項１又は請求項２において、上記洗面ボウル１の内面に直接当接させて排水口部２を止水するための止水栓（実施例ではケレップ３７）を備えることを特徴とする。止水栓が清掃のし難い排水栓に当接せず、排水栓が汚れ難くなる。
【発明の効果】
【０００９】
請求項１に係る発明では、排水筒の嵌込部の上方を排水口部に形成した覆部で覆って、洗面ボウルと排水筒の境界部分が洗面ボウルの内面側に露出しないようにできる。また、取付ねじの締め付け力が不足した場合等にも、嵌込部の外周面と嵌込凹所の内周面とで取付ねじの締め付け力が働く上下方向とは直交する方向に圧縮されるＯリングにより確実に止水を行うことができる。また、嵌込部を排水筒の筒部のフランジ部からわずかに突出した上端部で構成できて変形に対する強度を高めることができ、これにより嵌込部によりＯリングを確実に圧縮できてＯリングによる止水をより確実なものとできる。
【００１０】
また請求項２に係る発明では、請求項１に係る発明の効果に加えて、排水口部の下端部を円環状の嵌込溝に嵌め込み、排水口部の下端部を内側の嵌込部と外側の立上部とにより内外両側から支持でき、嵌込部でより一層確実にＯリングを圧縮できる。また排水口部と排水筒の接続部分から水漏れが生じたとしても、この水を嵌込溝に溜めて自然乾燥で蒸発させることができ、少量であれば前記排水口部と排水筒の接続部分からの水が排水具の外部に漏れ出すことを防止できる。
【００１１】
また請求項３に係る発明では、請求項１又は請求項２に係る発明の効果に加えて、止水栓が清掃のし難い排水栓に当接しないので排水栓が汚れ難くなり、また、洗面ボウルの内面において止水栓が当接した箇所が汚れたとしても、この汚れは清掃のしやすい洗面ボウルの内面に付くものあるので手入れが容易となる。
【発明を実施するための最良の形態】
【００１２】
以下、本発明を添付図面に示す実施形態に基づいて説明する。本実施形態の一例の洗面ボウル１の排水構造は、洗面ボウル１の底部から下方に一体に突出した排水口部２に排水流路の一部を構成する排水具４を接続し、洗面ボウル１の排水口部２から流れてきた水を排水具４を介して外部に排出するものである。
【００１３】
図１に示す洗面ボウル１は洗面台に設けられるものであって合成樹脂製である。洗面ボウル１の底部から突出した排水口部２の内周面の下端部は水平な段差面６を介して外側に凹ませており、これにより排水口部２の下端部には下方に開口する円形の嵌込凹所５を形成している。排水口部２の嵌込凹所５の内周面よりも内側に突出した部分、即ち排水口部２の嵌込凹所５の上方部分は覆部７を構成している。覆部７の内周面は下端から上側に向かって漸次口径が大きくなるラッパ状曲面部８としてある。また図示例では排水口部２の覆部７よりも上方の内周面も上側に向かって漸次口径が大きくなるラッパ状の曲面部９としてあり、該曲面部９は洗面ボウル１の内底面と前記ラッパ状曲面部８とを滑らかに接続している。なお、覆部７の内周面の下端は嵌込凹所５の上底面を構成する段差面６に接続してある。
【００１４】
図３に示すように洗面ボウル１の下面において排水口部２の外側で且つ排水口部２の周方向の複数箇所には固着部１０を下方に向けて一体に突設している。各固着部１０は排水口部２の突出基端部に一体に接続されている。なお、図示例では固着部１０を排水口部２の周方向の４箇所に等間隔で設けている。各固着部１０の下面は同レベルに位置した水平な面となり、中央部にねじ穴１３を形成している。また、排水口部２の周方向に隣り合う固着部１０間には下方に開口する嵌合凹所１４を形成している。
【００１５】
排水具４は、排水口部２に連通接続される排水筒１５（図１参照）と、該排水筒１５の下端部に連通接続される連結管１６（図２参照）とで構成してあり、排水筒１５及び連結管１６は合成樹脂製である。なお、図１では連結管１６の図示を省略している。
【００１６】
図１に示すように排水筒１５は、上下に開口する直管状の筒部１７と、該筒部１７の上端よりもやや下方の位置から外方に向けて一体に突出するフランジ部１８と、筒部１７のフランジ部１８よりも下方の位置から側方に向けて一体に突出する接続口部２０とからなる。筒部１７のフランジ部１８を設けた部分よりも上方の部分は嵌込部１９としてあり、該筒状の嵌込部１９の外周面にはＯリング収納溝２１を形成している。
【００１７】
フランジ部１８は、筒部１７から外方に突出した内周鍔部２２と、内周鍔部２２の外周縁から立ち上げた立上部２３と、立上部２３の上端から外方に突出した外周鍔部２４とで構成してある。立上部２３の上端部は嵌込部１９よりも上方に突出し、外周鍔部２４は嵌込部１９よりも上方に位置している。立上部２３と嵌込部１９の間には上方に開口する平面視円環状の嵌込溝２５が形成され、該嵌込溝２５には前述の排水口部２の下端部が嵌め込まれる。立上部２３の下端部は内周鍔部２２から上方に突出しているが、該下端部よりも上方の部分は上側程外側に位置するように傾斜しており、この部分の上下方向に対する傾斜角度は下側程外径が小さくなるように形成した排水口部２の外周面の傾斜角度よりも大きい。このため前記嵌込溝２５への排水口部２の下端部の嵌め込みを容易に行うことができる。
【００１８】
図４に示すように外周鍔部２４には前記洗面ボウル１のねじ穴１３に対応する周方向の複数箇所にねじ挿通孔２８を穿設している。また、外周鍔部２４の前記洗面ボウル１の嵌合凹所１４に対応する箇所には平面視環状のリブからなる嵌合部２６を上方に向けて一体に突出している。各嵌合部２６はその外形を嵌合凹所１４に合致する形状としてあり、対応する嵌合凹所１４に嵌合可能としてある。なお、外周鍔部２４の上面においてねじ挿通孔２８が形成される部分である各嵌合部２６間の部位は水平な面となっている。
【００１９】
上記排水筒１５を洗面ボウル１の排水口部２に接続するには、排水筒１５の筒部１７の嵌込部１９をＯリング収納溝２１にＯリング３１を収納した状態で排水口部２の嵌込凹所５に圧入し、排水筒１５の嵌込溝２５の下端部に排水口部２の下端部を嵌め込み、嵌込部１９と嵌込凹所５の内周面の間にＯリング３１を圧縮状態で介在させると共に、外周鍔部２４の上面における各嵌合部２６間の部位を対応する固着部１０の下面に当接する。また、この時、フランジ部１８の外周鍔部２４の各嵌合部２６を対応する嵌合凹所１４に下方から嵌合させて、排水筒１５の周方向の位置決めをする。そして、このように排水筒１５のフランジ部１８を洗面ボウル１の下面に当てた状態で、各ねじ挿通孔２８に下方から取付ねじ１１を挿入して対応するねじ穴１３に螺合し、各取付ねじ１１を締め付けてフランジ部１８の外周鍔部２４を洗面ボウル１の複数の固着部１０に沿わせた状態で固着し、これによりフランジ部１８の内周鍔部２２の上面（即ち嵌込溝２５の底面）に載置したリング状のパッキン３２を該内周鍔部２２と対向する排水口部２の下端面とで上下方向に圧縮する。この接続状態では排水筒１５の嵌込部１９の内周面が覆部７の内周縁よりもやや外側に位置し、該洗面ボウル１の覆部７により嵌込部１９の上方が覆い隠される。
【００２０】
また、上記排水筒１５の接続口部２０には洗面ボウル１に設けたオーバーフロー孔に連通する接続管４８の下流側端部が接続される。これにより洗面ボウル１内からオーバーフロー孔に流れ込んだ水は接続管４８を介して筒部１７に流れ、排水口部２からの排水と同様に連結管１６を介して排出される。
【００２１】
図２に示すように連結管１６は、縦管部２９と、縦管部２９の途中から側方に突出したレリーズ導入口部３０とで構成してある。連結管１６を排水筒１５に接続するには合成樹脂製の袋ナット３３により縦管部２９の上端部を筒部１７の下端部に接続する。この連結管１６の下端部には外部に排水するための排出管（図示せず）が接続される。また、レリーズ導入口部３０の先端部には着脱自在にキャップ３５が取り付けられ、後述のレリーズ４６がキャップ３５を挿通してレリーズ導入口部３０内に導入される。
【００２２】
上記排水筒１５と連結管１６とで構成される排水具４内にはポップアップ式の排水栓３６が収納される。図１に示すように、排水栓３６は、排水口部２の止水栓としてのケレップ３７と、ケレップ３７から垂下するシャフト３８と、シャフト３８の上下２箇所に配置されるヘアキャッチャー３９ａ、３９ｂを有している。ケレップ３７及びヘアキャッチャー３９ａ、３９ｂは樹脂製であるが、シャフト３８は金属製である。
【００２３】
シャフト３８は各ヘアキャッチャー３９ａ、３９ｂの中央に形成したシャフト挿通孔４１に上下移動自在に挿通してある。シャフト３８の下段のヘアキャッチャ３９ｂよりも下方に突出する部分には外方に突出するストッパ４２を設けてあり、該ストッパ４２は下段のヘアキャッチャー３９ｂのシャフト挿通孔４１の内周縁よりも外側に突出している。
【００２４】
上記排水栓３６のシャフト３８及び各ヘアキャッチャー３９ａ、３９ｂは排水口部２の上方から排水筒１５の筒部１７及び連結管１６の縦管部２９に出し入れ自在に挿入され、以下のように支持される。即ち、筒部１７の内周面において接続口部２０を設けた箇所よりも下方の位置には座部４４を突設してあり、この座部４４には下段のヘアキャッチャー３９ｂが載置され、この下段のヘアキャッチャー３９ｂには上段のヘアキャッチャー３９ａが載置される。また、各ヘアキャッチャー３９ａ、３９ｂはその外径が排水筒１５の内径と略同じであり、筒部１７の内周面によって径方向の位置ずれが防止される。
【００２５】
また、図２に示すように縦管部２９内には前記排水具４内に挿入したシャフト３８を押し上げるための押上部材４５が配設される。押上部材４５は前記レリーズ４６の一端に接続してあり、レリーズ４６の他端は洗面ボウル１の上開口の周縁部等に設けた操作つまみ（図示せず）に接続してあり、操作つまみを操作することで押上部材４５を図２の破線で示す位置や実線で示す位置に移動してシャフト３８を上下動し、これによりシャフト３８の上端に設けたケレップ３７で排水口部２を開閉する。ケレップ３７は図２に示すように外周面に設けた止水パッキン４０を排水口部２の内周面に直接当てることで排水口部２の止水を行うものである。また、上記ケレップ３７を上方に引き上げれば該ケレップ３７から垂下したシャフト３８のストッパ４２により排水具４内のヘアキャッチャー３９ａ、３９ｂを支持できる。従って、ケレップ３７及びシャフト３８を排水口部２の上方に引き出せば、このシャフト３８と共に上下２段のヘアキャッチャー３９ａ、３９ｂを排水口部２の上方に引き出すことができ、これによりヘアキャッチャー３９ａ、３９ｂを取り出して容易に清掃できる。
【００２６】
以上説明した本発明の排水構造は、排水筒１５の嵌込部１９の上方を排水口部２に形成した覆部７で覆うことで、洗面ボウル１と排水筒１５の境界部分が洗面ボウル１の内面側に露出しないようにできる。また、排水口部２と排水筒１５の接続部分をＯリング３１とパッキン３２とで二重にシールしているので水密性を高めることができ、さらにこのＯリング３１は嵌込部１９の外周面と嵌込凹所５の内周面とで取付ねじ１１の締め付け力が働く上下方向とは直交する方向に圧縮されるので、取付ねじ１１の締め付け力が不足した場合等にも前記Ｏリング３１により確実に止水を行うことができる。また、嵌込部１９を排水筒１５の筒部１７のフランジ部１８からわずかに突出した上端部で構成するので、該嵌込部１９の変形に対する強度を高めることができ、これにより嵌込部１９により前記Ｏリング３１を確実に圧縮できてＯリング３１による止水をより確実なものとできる。また、この場合、排水口部２の下端部を円環状の嵌込溝２５に嵌め込み、該排水口部２の下端部を内側の嵌込部１９と外側の立上部２３とにより内外両側から支持でき、この点でもＯリング３１を嵌込部１９で確実に圧縮できる。また、仮に前記排水口部２と排水筒１５の接続部分から水漏れが生じたとしても、この水を受皿状となったフランジ部１８によって形成された嵌込溝２５に溜めて自然乾燥でき、少量であれば前記排水口部２と排水筒１５の接続部分からの水が排水具４の外部に漏れ出すことを防止できる。
【００２７】
また、覆部７の内周面は下端から上側に向かって漸次口径が大きくなるラッパ状曲面部８としてあるので、前述の排水栓３６を引き出す際に覆部７が邪魔にならず、排水栓３６を排水口部２から出し入れする際に排水栓３６により洗面ボウル１を傷つけることを防止できる。
【００２８】
また、一般的にケレップ３７の当接箇所は汚れがつきやすいものであるが、本例では前述のように洗面ボウル１の内面に止水栓としてのケレップ３７を直接当接させて排水口部２を止水するので、前記ケレップ３７による汚れが清掃のしやすい洗面ボウル１の内面につくこととなり手入れが容易になる。また、ケレップ３７により排水口部２を止水して洗面ボウル１に溜めた水の圧力が排水口部２と排水筒１５の接続部分にかからず、該接続部分からの水漏れを確実に防止できる。
【図面の簡単な説明】
【００２９】
【図１】本発明の実施の形態の一例における排水口部と排水筒の接続状態を示す断面図である。
【図２】同上の排水筒と連結管の接続状態を示す断面図である。
【図３】同上の洗面ボウルの排水口部近傍の下面図である。
【図４】同上の排水筒の上面図である。
【図５】従来の排水構造を示す一部切欠断面図である。
【符号の説明】
【００３０】
１  洗面ボウル
２  排水口部
５  嵌込凹所
７  覆部
１５  排水筒
１７  筒部
１８  フランジ部
１９  嵌込部
２２  内周鍔部
２３  立上部
２４  外周つば部
２５  嵌込溝
３１  Ｏリング
【図１】
0004872867.tif 000002
【図２】
0004872867.tif 000003
【図３】
0004872867.tif 000004
【図４】
0004872867.tif 000005
【図５】
0004872867.tif 000006